(57)【要約】【課題】映像表示機器に接続された映像出力機器からの映像出力を映像表示機器で表示した場合においても、映像表示機器での表示に差異が生じることを防止することができる映像表示システムを提供する。【解決手段】映像表示システム１０は、デジタルカメラ１１とテレビ２２とから構成されており、メニュー表示操作が行われると、デジタルカメラ１１はSVGフルセット表現の描画内容のみをSVGファイルとしてテレビ２２に送信し、テレビ２２は受信したSVGファイルに従ってグラフィックの描画を行う一方、デジタルカメラ１１はSVGサブセット表現の描画内容に従ってグラフィックの描画を行い、描画したSVGサブセット表現のグラフィックをテレビ２２に送信し、テレビ２２は受信したSVGサブセット表現のグラフィックと描画したSVGフルセット表現のグラフィックとを合成して表示する。【選択図】図１
2009111610.tif 000002
【特許請求の範囲】
【請求項１】
映像出力機器と、映像表示機器とを備え、前記映像出力機器は前記映像表示機器へ映像を出力する第１の出力手段を有し、前記映像表示機器は前記出力された映像を入力する第１の入力手段と前記入力された映像を表示する表示手段とを有する映像表示システムにおいて、
前記映像出力機器は、
前記第１の出力手段が出力する映像に重畳するグラフィックの描画情報を前記映像表示機器へ出力する第２の出力手段を有し、
前記映像表示機器は、
前記出力された描画情報を入力する第２の入力手段と、
前記入力された描画情報に従ってグラフィックを描画する第１の描画手段とを有し、
前記表示手段は前記入力された映像に前記第１の描画手段で描画したグラフィックを重畳して当該入力された映像の表示を行うことを特徴とする映像表示システム。
【請求項２】
前記映像出力機器は前記グラフィックの描画情報に従ってグラフィックを描画する第２の描画手段を有し、
前記第１の出力手段は映像に前記第２の描画手段で描画したグラフィックを重畳して当該映像の出力を行うことを特徴とする請求項１記載の映像表示システム。
【請求項３】
前記第２の出力手段は前記グラフィックの描画情報のうち前記第２の描画手段にて描画不可能なグラフィックの描画情報のみを前記映像表示機器へ出力することを特徴とする請求項２記載の映像表示システム。
【請求項４】
前記第２の出力手段は、前記第１の出力手段が出力する映像に重畳する複数のグラフィックの描画情報を前記映像表示機器へ出力し、
前記映像出力機器は、前記複数のグラフィックのうち前記第１の描画手段にて描画させるグラフィックの画像情報を前記映像表示機器へ出力する第３の出力手段を有し、
前記第１の描画手段は、前記出力された複数のグラフィックの描画情報及び前記出力された画像情報に従ってグラフィックの描画を行うことを特徴とする請求項１乃至３のいずれか１項に記載の映像表示システム。
【請求項５】
前記各グラフィックはSVG（Scalable Vector Graphics）であることを特徴とする請求項１乃至４のいずれか１項に記載の映像表示システム。
【発明の詳細な説明】
【技術分野】
【０００１】
本発明は、映像表示システムに関し、特に、映像出力機器及び映像表示機器が連携してグラフィックの描画を行う映像表示システムに関する。
【背景技術】
【０００２】
現在、様々な電子機器を操作する際には様々なグラフィックを利用したメニュー表示によるものが一般的であり、表示媒体の高精細化への対応やメニュー表示の美しさを目的としてより高品位なグラフィックが求められつつある。
【０００３】
ベクターグラフィックは、フォントや描画図形の拡大縮小を行った場合に、ジャギーのない高品質な表示や印刷を実現する目的で利用される。
【０００４】
近年は携帯電話等の小画面ディスプレイからデジタルテレビに代表される大画面ディスプレイまで様々な表示媒体が存在するが、ベクターグラフィックは解像度や画面サイズに依らず高品質な表示が可能となる。
【０００５】
中でもSVG（Scalable Vector Graphics）はテキストフォーマットでベクターグラフィックを描画するため、内容の変更が容易であり、メニュー等のグラフィック描画にも適している。
【０００６】
デジタルカメラや携帯電話のような携帯機器においても、高品質な拡大縮小機能や、解像度の異なる機器に対する映像出力時の高品質なメニュー表示機能の実現を目的として、SVGによるグラフィック描画が検討、実現されつつある。
【０００７】
また、ある映像表示機器に外部の映像出力機器を接続して映像出力機器側のメニュー表示を映像出力によって行う場合も多い。この時、メニュー表示を映像出力として映像表示機器に渡すのではなく、何らかのデータ形式で渡し、映像表示機器側で表示に工夫を設ける提案もなされている。
【０００８】
例えば、下記特許文献１では複数の外部機器のメニューをルール付けられた構造言語で記憶し、複数メニューの合成、表示、操作をリモコン上で行うものである。
【０００９】
また、デジタルテレビのような大画面の表示部を持つ機器のメニューは高品位なグラフィックが求められており、SVGのフルセットに対応して高度なグラフィック描画を可能にすることが望まれる。
【００１０】
しかし、デジタルカメラのような携帯機器は、プロセッサパワーの不足や小画面での凝ったグラフィックは必要が少ないこと等を理由にSVGのフルセット対応ではなく、サブセット規格にのみ対応していることが一般的である。SVGのサブセット規格とは、グラフィック描画の限定されたSVG Tiny，SVG Basic等である。なお、SVG Tinyではグラデーションやフィルタ処理、透明度の表現等が不可能となる。
【００１１】
SVGのフルセットに対応したデジタルテレビ等の大画面、高解像度の機器でデジタルテレビ自身のメニュー等のグラフィックを表示する際には、フィルタ処理やグラデーションの表現を用いた高品質なUI表現がなされる。
【特許文献１】特開平７−１７７５８６号公報
【発明の開示】
【発明が解決しようとする課題】
【００１２】
しかしながら、SVGのフルセットに対応したデジタルテレビ等の映像表示機器にSVGのサブセット規格に対応した外部の映像出力機器を接続し、映像出力機器からの映像出力を映像表示機器で表示した場合、ユーザは表示内容の差異に違和感を覚えることがある。通常、映像出力機器からの映像出力を映像表示機器で表示すると、フィルタ処理やグラデーション表現のないグラフィック表示となる。
【００１３】
上記の例であれば、外部の映像出力機器を接続した際にも、デジタルテレビ自身のメニュー表示を行った際と同等の表示能力を持つメニュー表示を行えることが望ましい。
【００１４】
また、上記特許文献１では外部機器のメニューの表記や操作に注目しており、上記のような表示した際の見た目の差異には触れられていない。
【００１５】
本発明の目的は、映像表示機器に接続された映像出力機器からの映像出力を映像表示機器で表示した場合においても、映像表示機器での表示に差異が生じることを防止することができる映像表示システムを提供することにある。
【課題を解決するための手段】
【００１６】
上記目的を達成するために、請求項１記載の映像表示システムは、映像出力機器と、映像表示機器とを備え、前記映像出力機器は前記映像表示機器へ映像を出力する第１の出力手段を有し、前記映像表示機器は前記出力された映像を入力する第１の入力手段と前記入力された映像を表示する表示手段とを有する映像表示システムにおいて、前記映像出力機器は、前記第１の出力手段が出力する映像に重畳するグラフィックの描画情報を前記映像表示機器へ出力する第２の出力手段を有し、前記映像表示機器は、前記出力された描画情報を入力する第２の入力手段と、前記入力された描画情報に従ってグラフィックを描画する第１の描画手段とを有し、前記表示手段は前記入力された映像に前記第１の描画手段で描画したグラフィックを重畳して当該入力された映像の表示を行うことを特徴とする。
【発明の効果】
【００１７】
本発明によれば、映像表示機器に接続された映像出力機器からの映像出力を映像表示機器で表示した場合においても、映像表示機器での表示に差異が生じることを防止することができる。
【発明を実施するための最良の形態】
【００１８】
以下、本発明の実施の形態について図面を参照しながら説明する。
【００１９】
まず、本発明の実施の形態に係る映像表示システムについて説明する。
【００２０】
図１は、本実施の形態に係る映像表示システムの構成を示すブロック図である。本映像表示システムは、映像出力機器としてのデジタルカメラと、映像表示機器としてのテレビとから構成される。
【００２１】
図１において、デジタルカメラ１１は、映像を撮影するカメラ部１２と、撮影した映像を処理する画像処理部１３と、映像等を一時的に格納するメモリ１４と、操作を行うための操作部１５と、デジタルカメラ１１全体の制御を行うＣＰＵ１６とを有する。また、デジタルカメラ１１は、メニュー等のグラフィック部分の描画を行うグラフィック描画部１７と、撮影した映像の表示を行う表示部１８と、撮影した映像の出力をテレビ２２に対して行う映像出力部１９（第１の出力手段）とを有する。さらに、デジタルカメラ１１は、テレビ２２との通信を行う通信部２０と、撮影した映像を保存する記憶部２１とを有する。
【００２２】
テレビ２２は、デジタルカメラ１１から映像が入力される映像入力部２３（第１の入力手段）と、入力された映像を格納するメモリ２４と、入力された映像の画質を向上させるための画像処理部２５と、操作を行うための操作部２６とを有する。また、テレビ２２は、テレビ２２全体の制御を行うＣＰＵ２７と、メニュー等のグラフィック部分の描画を行うグラフィック描画部２８と、画像処理部２５の出力とグラフィック描画部２８の出力とを合成する合成部２９とを有する。さらに、テレビ２２は、合成した内容の表示を行う表示部３０（表示手段）と、デジタルカメラ１１と通信を行う通信部３１と、画像処理部２５で使用するパラメータ等のデータを保存する記憶部３２とを有する。
【００２３】
なお、本実施の形態における映像出力部１９及び映像入力部２３はHDMI規格のTMDSインターフェイスで構成されており、通信部２０及び通信部３１はHDMI規格のCEC及びDDCインターフェイスで構成されている。本実施の形態では、デジタルカメラ１１とテレビ２２とはHDMIケーブル（図示しない）で接続されている。
【００２４】
また、本実施の形態では、デジタルカメラ１１の操作部１５はデジタルカメラ１１本体に付属している各種ボタン（図示しない）とし、テレビ２２の操作部２６はテレビ２２用のリモコン（図示しない）とする。
【００２５】
また、本実施の形態では、デジタルカメラ１１のグラフィック描画部１７で描画可能な言語、及びテレビ２２のグラフィック描画部２８で描画可能な言語はSVG（Scalable Vector Graphics）とする。
【００２６】
さらに、本実施の形態では、テレビ２２はSVGのフルセット（SVG ver1.3の規格全て）に対応しているものとし、デジタルカメラ１１はSVGのサブセット規格（SVG Tiny）に対応しているものとする。
【００２７】
次に、本実施の形態に係る映像表示システムが実行するグラフィック表示処理について説明する。本グラフィック表示処理は、映像表示システム１０のデジタルカメラ１１とテレビ２２とが連携して行う。以下、デジタルカメラ１１の記憶部２１に格納されているメニューのグラフィックをテレビ２２の表示部３０で表示する場合について説明する。
【００２８】
図２は、図１の映像表示システム１０が実行するグラフィック表示処理におけるシーケンス図である。なお、デジタルカメラ１１の操作、及びテレビ２２の表示部３０に表示されるメニューの操作はデジタルカメラ１１の操作部１５により行われるものとする。
【００２９】
図２において、まず、デジタルカメラ１１の操作部１５でメニューを表示させる操作が行われる（ステップＳ２１）。そして、デジタルカメラ１１は、記憶部２１に格納されているメニューのグラフィック部分の描画内容（描画情報）におけるSVGフルセット表現の描画内容のみをSVGファイルとしてテレビ２２に対して送信する（ステップＳ２２）（第２の出力手段）。なお、SVGはベクターグラフィックのフォーマットであり、ビットマップのような画像の形態と比較してファイルサイズが小さい。また、ステップＳ２２ではフルセット表現の描画内容のみをSVGファイルとして送信するため、送信するファイルサイズをより小さくすることができる。具体的な通信手段としては、HDMIのTMDSラインの動画や音声が格納されていない領域（Data Island Periodの一部）や、HDMIのDDCラインを利用する。ただし、本実施の形態では、HDMI接続のため、このような形態となっているが、通信手段はHDMIの信号線に限定されるものではない。
【００３０】
次いで、テレビ２２は、デジタルカメラ１１から送信されたSVGフルセット表現の描画内容のSVGファイルを受信する（ステップＳ３１）（第２の入力手段）。そして、テレビ２２のグラフィック描画部２８は、受信したSVGファイルに従ってグラフィックの描画を行う（ステップＳ３２）（第１の描画手段）。
【００３１】
一方、デジタルカメラ１１のグラフィック描画部１７はステップＳ２２の後、記憶部２１に格納されているメニューのグラフィック部分の描画内容におけるSVGサブセット表現の描画内容に従ってグラフィックの描画を行う（ステップＳ２３）（第２の描画手段）。そして、デジタルカメラ１１の映像出力部１９は、描画したSVGサブセット表現のグラフィックをテレビ２２に対して送信する（ステップＳ２４）。
【００３２】
次いで、テレビ２２の映像入力部２３は、デジタルカメラ１１から送信されたSVGサブセット表現のグラフィックを受信する（ステップＳ３３）。
【００３３】
次いで、テレビ２２は、受信したSVGサブセット表現のグラフィックをメモリ２４に格納し、画像処理部２５は当該グラフィックに処理を施す。そして、合成部２９は、処理が施されたSVGサブセット表現のグラフィックとステップＳ３２で描画したSVGフルセット表現のグラフィックとを合成（重畳）する（ステップＳ３４）。ここで、メニューのグラフィック部分におけるSVGサブセット表現の部分がSVGフルセット表現の部分に上書きされる。例えば、ベタ塗りの表現部分がグラデーション表現になったり、フォントが斜めに表示されたりするようなSVGフルセット表現のグラフィックとなる。
【００３４】
次いで、テレビ２２の表示部３０は、合成されたグラフィックを表示する（ステップＳ３５）。
【００３５】
本グラフィック表示処理によれば、メニューを表示させる操作が行われると、デジタルカメラ１１はメニューのグラフィック部分の描画内容におけるSVGフルセット表現の描画内容のみをSVGファイルとしてテレビ２２に対して送信する。そして、テレビ２２は受信したSVGフルセット表現の描画内容のSVGファイルに従ってグラフィックの描画を行う。一方、デジタルカメラ１１はメニューのグラフィック部分の描画内容におけるSVGサブセット表現の描画内容に従ってグラフィックの描画を行う。そして、描画したSVGサブセット表現のグラフィックをテレビ２２に対して送信し、テレビ２２は受信したSVGサブセット表現のグラフィックと描画したSVGフルセット表現のグラフィックとを合成して、合成されたグラフィックを表示する。これにより、テレビ２２に接続されたデジタルカメラ１１からの映像出力をテレビ２２で表示した場合においても、テレビ２２での表示に差異が生じることを防止することができる。
【００３６】
通常、映像表示機器としてのテレビ２２を単体で使用している場合は、テレビ２２のメニュー等のグラフィック部分はSVGフルセット表現である。また、デジタルカメラ１１を接続した際にはサブセット表現によるグラフィックとなり、テレビ２２自身のメニューとの見た目にギャップが生じる。本実施の形態によれば、このようなギャップを削減することが可能となる。
【００３７】
なお、本実施の形態では、画像処理部２５から合成部２９へ入力されるSVGサブセット表現のグラフィックのみでもメニューを構成することができる。すなわち、ステップＳ２４でテレビ２２に対して送信した、SVGフルセット表現のグラフィックを含まないSVGサブセット表現のグラフィックのみでもメニューを構成することができる。
【００３８】
また、テレビ２２がSVGフルセット表現に対応していない場合においても、デジタルカメラ１１は自身の表示部１８に表示するようなSVGサブセット表現のみで成立するグラフィックをテレビ２２に送信しているため、グラフィックが成立しないことはない。
【００３９】
なお、テレビ２２がSVGファイルを受信可能であったが、SVGファイルを受信可能でないときは、ステップＳ３１，３２，３４の処理を行うことなく、ステップＳ３３で受信したSVGサブセット表現のグラフィックをステップＳ３５で表示する。この場合、テレビ２２の表示部３０には、デジタルカメラ１１の表示部１８である撮影画像確認用の小型モニタに表示される内容と同様の内容が表示される。ただし、テレビ２２の表示部３０では、ベクターグラフィックであるSVGに対応した表示となるため、映像表示機器としてのテレビ２２の解像度にあわせてジャギーのない形で拡大されて表示される。
【００４０】
上述したように、本実施の形態では、テレビ２２側にグラフィックの描画を要求することとなるが、描画内容はデジタルカメラ１１側で描画不可能な表現に限定されたものであり、テレビ２２側の描画処理負荷が著しく増大することを避けている。また、負荷が高いために描画できないとしても、上記の通りデジタルカメラ１１側から出力されるグラフィック内容のみでもユーザがメニュー操作等に困ることはない。
【００４１】
また、本実施の形態では、デジタルカメラ１１側においてテレビ２２側がフルセット表現に対応しているか否かを確認し、対応していない場合にはSVGファイルの送信を行わないようにしてもよい。これにより、無駄な通信が生じることを防止することができる。
【００４２】
また、本実施の形態では、デジタルカメラ１１側においてテレビ２２側がSVGファイルの描画が可能であるか否かを確認してもよい。また、確認を行わずにSVGファイルの送信を行ってもよい。この場合、テレビ２２側がSVGファイルの描画が不可能であるときは、送信されたSVGファイルを破棄する。上述の通りデジタルカメラ１１側ではグラフィックの内容が成立するような映像出力を行うことが保証されているため、テレビ２２側でSVGファイルの描画が不可能である場合も問題はない。
【００４３】
また、本実施の形態では、テレビ２２側がSVGフルセットの描画が可能である。そして、デジタルカメラ１１側から要求を受けたSVGファイルの描画を行うと、デジタルカメラ１１側の表示部１８での表示はサブセット表現であり、テレビ２２側の表示部３０での表示はフルセット表現である。この場合、表示内容の差異が双方の機器の表示部で生じることとなり、ユーザが違和感を覚える場合も想定されるため、デジタルカメラ１１側の表示部１８での表示は行わないようにしてもよい。
【００４４】
それでもなおユーザが違和感を覚えるような場合が懸念されるときは、ユーザにSVGフルセット表現の許可を求めるダイヤログメッセージを表示し、ユーザが許可した場合にのみテレビ２２側においてSVGファイルの描画を行うようにしてもよい。
【００４５】
また、テレビ２２側がSVGフルセットの描画が可能ではあるが、他の処理の負荷が高いために描画の遅延やコマ落ちが想定されるような場合は、描画に必要な時間等を尺度として負荷に閾値を設けるのがよい。そして、負荷が閾値よりも高いときには、デジタルカメラ１１から送信されたSVGファイルについての描画を行わないようにしてもよい。
【００４６】
なお、本実施の形態では、映像出力機器としてデジタルカメラ１１としたが、これに限らず、デジタルビデオ、ビデオレコーダ、プリンタ、携帯電話等でもよい。また、映像表示機器としてテレビ２２としたが、これに限らず、パソコン等その他外部からの入力を表示可能な機器であればよい。
【００４７】
図３は、図１の映像表示システム１０が実行するグラフィック表示処理の変形例におけるシーケンス図である。なお、デジタルカメラ１１の操作、及びテレビ２２の表示部３０に表示されるメニューの操作はデジタルカメラ１１の操作部１５により行われるものとする。
【００４８】
図３において、まず、デジタルカメラ１１の操作部１５でメニュー操作が行われる（ステップＳ４１）。そして、デジタルカメラ１１は自身が記憶部２１に格納しているその操作によって変更されたグラフィック部分の描画変更内容におけるSVGフルセット表現の描画変更内容のみをSVGファイルとしてテレビ２２に送信する（ステップＳ４２）。
【００４９】
次いで、テレビ２２は、デジタルカメラ１１から送信されたSVGフルセット表現の描画変更内容のSVGファイルを受信する（ステップＳ５１）。
【００５０】
次いで、テレビ２２のグラフィック描画部２８は、受信したSVGファイルに従ってグラフィックの描画を行う（ステップＳ５２）。
【００５１】
一方、デジタルカメラ１１では、ステップＳ４２の後、自身が記憶部２１に格納している変更されたグラフィック部分の描画変更内容におけるSVGサブセット表現の描画変更内容に従ってグラフィック描画部１７はグラフィックの描画を行う（ステップＳ４３）。そして、描画したSVGサブセット表現のグラフィックをデジタルカメラ１１の映像出力部１９は映像出力としてテレビ２２に対して送信する（ステップＳ４４）。
【００５２】
次いで、テレビ２２の映像入力部２３は、デジタルカメラ１１から送信されたSVGサブセット表現のグラフィックを受信する（ステップＳ３３）。
【００５３】
次いで、テレビ２２は映像入力部２３で受信したSVGサブセット表現のグラフィックをメモリ２４に格納すると共に画像処理部２５で処理を施す。そして、画像処理部２５で処理が施されたSVGサブセット表現のグラフィックと、ステップＳ５２で描画したSVGフルセット表現のグラフィックとを合成部２９で合成する（ステップＳ５４）。
【００５４】
次いで、テレビ２２の表示部３０は、合成部２９で合成されたグラフィックを表示する（ステップＳ３５）。
【００５５】
本変形例によれば、メニュー操作が行われると、デジタルカメラ１１はその操作によって変更されたグラフィック部分の描画変更内容におけるSVGフルセット表現の描画変更内容のみをSVGファイルとしてテレビ２２に対して送信する。そして、テレビ２２は受信したSVGフルセット表現の描画変更内容のSVGファイルに従ってグラフィックの描画を行う。一方、デジタルカメラ１１は変更されたグラフィック部分の描画変更内容におけるSVGサブセット表現の描画変更内容に従ってグラフィックの描画を行う。そして、描画したSVGサブセット表現のグラフィックをテレビ２２に対して送信し、テレビ２２は受信したSVGサブセット表現のグラフィックと描画したSVGフルセット表現のグラフィックとを合成して、合成されたグラフィックを表示する。これにより、図２のグラフィック表示処理と同様の効果を奏することができると共に、デジタルカメラ１１からの映像出力が変更されたときにおいても、テレビ２２での表示に差異が生じることを防止することができる。
【００５６】
なお、本実施の形態では、メニュー操作が行われた場合において、メニューグラフィックの変更内容にSVGフルセット表現の内容が含まれるときに、変更内容をSVGファイルとして送信してもよい。また、SVGファイルではなく別途定義した描画コマンド（画像情報）を送信してもよい（第３の出力手段）。この場合、デジタルカメラ１１及びテレビ２２間において共通の描画コマンド定義が必要となる。また、描画の要求を行う通信に必要な時間は、SVGファイル送信と比較してコマンドのデータ量は少ないと考えられるため、少なくて済む。
【００５７】
また、本実施の形態では、SVGファイル送信により描画の要求を行う場合において、テレビ２２はSVGファイルが送信されたときにそのSVGファイルを描画するように構成してもよい。これにより、別途煩雑なコマンド定義を行う必要がなくなる。
【００５８】
また、本実施の形態では、操作をデジタルカメラ１１側の操作部１５で行っているが、テレビ２２側で行ってもよい。この場合、テレビ２２側の操作部２６でデジタルカメラ１１側の操作を行うこととなる。
【００５９】
また、本実施の形態では、テレビ２２の操作部２６がリモコンである場合、リモコンから操作のコマンドがＣＰＵ２７を介して通信部３１へ送られ、外部の映像出力機器であるデジタルカメラ１１の通信部２０で受信される。コマンドの送受信はHDMI規格のCEC信号線によって実現されるが、HDMI規格のCEC信号線に限定するものではない。
【００６０】
また、本実施の形態では、操作をテレビ２２の操作部２６で行うと、デジタルカメラ１１への通信にかかる時間のために、操作内容の反映遅延が懸念される場合がある。このときは、予めSVGファイルとしてグラフィックの中身を一括してテレビ２２に送信しておき、テレビ２２側で操作が行われたらグラフィックの内容変更に応じる。実際の外部のデジタルカメラ１１の操作はテレビ２２からの通信によって指示されるため、グラフィックの内容変更よりも対応が遅れる。しかし、この方法により少なくともグラフィックの内容変更は実際の操作内容の反映と比較して早くなされるため、ユーザのストレスをある程度削減することができる。
【図面の簡単な説明】
【００６１】
【図１】本発明の実施の形態に係る映像表示システムの構成を示すブロック図である。
【図２】図１の映像表示システムが実行するグラフィック表示処理におけるシーケンス図である。
【図３】図１の映像表示システムが実行するグラフィック表示処理の変形例におけるシーケンス図である。
【符号の説明】
【００６２】
１０  映像表示システム
１１  デジタルカメラ
１３，２５  画像処理部
１５，２６  操作部
１６，２７  ＣＰＵ
１７，２８  グラフィック描画部
１８，３０  表示部
１９  映像出力部
２２  テレビ
２３  映像入力部
２９  合成部
【図１】
2009111610.tif 000003
【図２】
2009111610.tif 000004
【図３】
2009111610.tif 000005